(57)【要約】  【課題】  イベント発生時の映像画面の表示状態を利用者の好みに合わせて設定可能とすること。  【解決手段】  制御回路８によるステップＳ７の処理において，それまで表示中の特定チャンネルの映像画面とイベント（外部入力イベント，ＯＮタイマーイベント又はＣＭ中イベント）に対応する映像画面との両方を２画面表示させる２画面表示パターンと，特定チャンネルの映像画面からイベントに対応する映像画面に自動的に切り替える切替表示パターンと，特定チャンネルの映像画面を表示させた状態で，イベントに対応する映像画面への切り替えを行うか否かの問合せメッセージを同時表示する問合せパターンと３つの選択肢からイベント発生時の表示状態を予め設定できるようにし，その設定情報に従って画面表示を行う。【選択図】図２
2006081106.tif 000002
【特許請求の範囲】
【請求項１】
１つの映像画面の表示又は複数の映像画面の同時表示を切り替え可能なマルチ画面表示手段に映像画面を表示させるマルチ画面制御装置であって，
所定のイベントの発生を検出するイベント検出手段と，
前記イベントが検出された場合に前記マルチ画面表示手段にどのような映像画面表示をさせるかについての表示状態設定情報を予め設定する表示状態設定手段と，
前記マルチ画面表示手段に映像画面を表示中に前記イベント検出手段により前記イベントが検出された場合に，前記表示状態設定情報に従って１又は複数の映像画面を前記マルチ画面表示手段に表示させるイベント発生時画面制御手段と，
を具備してなることを特徴とするマルチ画面制御装置。
【請求項２】
前記表示状態設定手段が，前記イベントが検出されたときに前記マルチ画面表示手段に表示中の映像画面と前記イベントに対応する映像画面とのいずれか一方又は両方を前記マルチ画面表示手段に表示させるように予め設定するものである請求項１に記載のマルチ画面制御装置。
【請求項３】
複数チャンネル分の映像信号及びその映像と同期した音声信号が重畳されたテレビ放送信号を入力する信号入力手段と，
前記テレビ放送信号における複数チャンネルの中から前記マルチ画面表示手段に表示させる一の特定チャンネルを選択するチャンネル選択手段と，
前記テレビ放送信号から前記特定チャンネルを含む複数チャンネル分の前記映像信号及び／又は前記音声信号を抽出するチャンネル抽出手段と，を具備し，
前記イベント検出手段が，前記特定チャンネルの映像画面の表示中に該特定チャンネルがコマーシャル放送中であることを前記イベントとして検出する機能を有し，
前記表示画面設定手段が，前記特定チャンネルがコマーシャル放送中である場合に前記特定チャンネルの映像画面と同時に又は該特定チャンネルの映像画面と切り替えて前記マルチ画面表示手段に表示させるチャンネルを予め設定可能である請求項１又は２に記載のマルチ画面制御装置。
【請求項４】
複数の映像画面を同時に表示可能なマルチ画面表示手段と，該マルチ画面表示手段に映像画面を表示させる請求項１〜３のいずれかに記載のマルチ画面制御装置と，を具備してなることを特徴とする表示装置。
【発明の詳細な説明】
【技術分野】
【０００１】
本発明は，テレビジョン受像機等の表示装置に複数の画面を表示させる制御を行うマルチ画面制御装置及びそれを具備する表示装置に関するものである。
【背景技術】
【０００２】
テレビジョン受像機は，通常，ＮＴＳＣ（ National Television SystemCommittee ）方式の映像の地上放送を受信するチューナと１又は複数の外部入力端子とを備え，チューナにより選択（抽出）された放送チャンネルの映像画面と外部入力端子から入力された映像画面とのいずれの画面を表示させるかを切り替える機能を備えている。
近年，前記ＮＴＳＣ方式の映像のアスペクト比（４：３）よりも横長のアスペクト比（１６：９）を有するＨＤＴＶ（High Definition TV）方式（いわゆるハイビジョン方式）の映像を表示可能なワイド画面を備えたテレビジョン受像機（ワイドテレビと呼ばれる）が普及している。
このようなワイドテレビは，地上放送を受信する前記チューナの他，衛星放送受信チューナ（ＢＳチューナ），ＥＤＴＶ２放送受信チューナ，文字放送デコーダ，ＭＵＳＥ−ＮＴＳＣコンバータ，並びにＣＡＴＶチューナ等のうちの一部又は全てを内蔵するものもある。
さらに，ワイドテレビには，１又は複数のチューナからの映像信号及び前記外部入力端子を介して入力される映像信号のうちの複数の映像信号を画面上に同時に表示させるマルチ画面表示機能を有するものがある。
例えば，２つの映像信号（映像ソース）をワイド画面上に同時に並べて表示する２画面表示機能では，ワイド画面を親（メイン）画面と子（サブ）画面との左右の２領域に分割し，２つの映像信号の一方を前記親画面（例えば，左側）に，他方を前記子画面（例えば，右側）に各々ほぼ同一の大きさで表示させることが可能となる。
ここで，映像信号を画面に表示中に，外部入力信号が入力されたことや，オンタイマー機能における予約時刻になったこと等のイベントが発生した場合，そのイベントに対応する新たな映像信号（外部入力信号や予約番組の映像信号）を，表示中の映像を画面上から消去することなく追加的に画面表示させたいというニーズがある。
従来，特許文献１には，オンタイマー機能を有するテレビジョン受像機において，オンタイマーの予約時刻になると子画面に予約番組の映像を表示するものが示されている。
また，特許文献２には，２つの入力系統からの映像信号各々について同期信号の有無を検出し，両方の同期信号が検出されたときにそれらを２画面表示する表示装置が示されている。
さらに，特許文献３には，映像信号に重畳された情報信号を取り出してその情報信号に基づくキャラクタを発生させ，映像信号とキャラクタとをマルチ画面で別々に表示する複数画面出力モニタシステムが示されている。
さらに，特許文献４には，電源投入時に，電源を落とす直前に選択されていた映像の画面を親画面に，その電源投入時の時間帯に対して予め選択されていた映像の画面を子画面に表示させる多画面テレビジョン受像機が示されている。
【特許文献１】特開平１０−３２２６１８号公報
【特許文献２】特開２００１−３４６１２１号公報
【特許文献３】特開平９−６５２３３号公報
【特許文献４】特開平８−３３１４７１号公報
【発明の開示】
【発明が解決しようとする課題】
【０００３】
しかしながら，外部入力信号が入力されたことや，オンタイマー機能における予約時刻になったこと等のイベントが発生した場合に，どのような画面表示をさせたいかは利用者ごとに異なり，特許文献１〜４に示されるように，一律に予め定められた形式で複数の映像をマルチ画面表示させることは，利用者各々の好みに沿わない場合があるという問題点があった。
従って，本発明は上記事情に鑑みてなされたものであり，その目的とするところは，イベント発生時の映像画面の表示状態を利用者の好みに合わせて設定可能なマルチ画面制御装置及びそれを具備する表示装置を提供することにある。
【課題を解決するための手段】
【０００４】
上記目的を達成するために本発明は，１つの映像画面の表示又は複数の映像画面の同時表示を切り替え可能なマルチ画面表示手段或いはそれに映像画面を表示させるマルチ画面制御装置に適用されるものであり，所定のイベントの発生を検出する機能と，そのイベントが検出された場合に前記マルチ画面表示手段にどのような映像画面表示をさせるかについての表示状態設定情報を予め設定する機能とを備え，前記マルチ画面表示手段にある映像画面を表示中に前記イベントが検出された場合に，前記表示状態設定情報に従って１又は複数の映像画面を前記マルチ画面表示手段に表示させるものである。
例えば，前記イベントが検出されたときに前記マルチ画面表示手段に表示中の映像画面と前記イベントに対応する映像画面とのいずれか一方又は両方を前記マルチ画面表示手段に表示させるように予め設定するもの等である。
これにより，イベント発生時の映像画面の表示状態を利用者の好みに合わせて設定可能となる。
ここで，前記イベント及びこれに対応する映像信号としては，例えば，外部入力インターフェース（外部入力端子等）から映像信号が入力されたというイベント及びその外部入力映像信号，現在時刻がオンタイマー機能により予め設定された予約時刻となったというイベント及びそのオンタイマー機能により予約された映像信号（放送チャンネルの映像信号や外部入力映像信号など）等が考えられる。
【０００５】
また，複数チャンネル分の映像信号及びその映像と同期した音声信号が重畳されたテレビ放送信号を入力する機能と，そのテレビ放送信号における複数チャンネルの中から前記マルチ画面表示手段に表示させる一の特定チャンネルを選択する機能と，前記テレビ放送信号から前記特定チャンネルを含む複数チャンネル分の前記映像信号や前記音声信号を抽出する機能と，前記特定チャンネルの映像画面の表示中にその特定チャンネルがコマーシャル放送中であることを前記イベントとして検出する機能とを備え，前記特定チャンネルがコマーシャル放送中である場合に前記特定チャンネルの映像画面と同時に又はその特定チャンネルの映像画面と切り替えて前記マルチ画面表示手段に表示させるチャンネルを予め設定可能としたものが考えられる。
これは，テレビ放送の中から選択されたチャンネル（特定チャンネル）の映像，即ち，利用者によって選局されたある番組の映像を表示中（視聴中）に，そのチャンネルがコマーシャル放送となった場合に，それまで視聴中の番組（チャンネル）と裏番組（他のチャンネル）との各映像画面を自動的にマルチ画面表示させたり，裏番組の映像画面に自動的に切り替えたりする設定を可能とするものである。これにより，例えば，あるチャンネルでドラマの番組を視聴しながら，そのチャンネルがコマーシャル放送中であるときに，裏番組である野球やサッカーの進捗状況を確認したい等といった利用者のニーズにも柔軟に対応できる。
【発明の効果】
【０００６】
本発明によれば，イベント発生時の映像画面の表示状態を利用者の好みに合わせて設定（カスタマイズ）できるので，多様なユーザのニーズ各々にマッチした利便性の高いマルチ画面制御装置及びそれを具備する表示装置等を提供することができる。
【発明を実施するための最良の形態】
【０００７】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る表示装置Ｘの概略構成を表すブロック図，図２は表示装置Ｘにおけるイベント発生時の映像表示状態設定処理の手順を表すフローチャート，図３は表示装置Ｘにおける画面表示を模式的に表した図である。
【０００８】
まず，図１に示すブロック図を用いて，本発明の実施形態に係る表示装置Ｘの構成について説明する。
表示装置Ｘは，複数の映像画面を同時に表示可能なマルチ画面表示機能を備えたテレビジョン受像機である。
図１に示すように，表示装置Ｘは，複数のチューナ１ａ，１ｂと，外部入力部２と，映像切替回路３と，複数の映像処理回路４ａ，４ｂと，画面合成切替回路５と，信号検出回路６と，計時回路７と，制御回路８と，リモコンインターフェース（Ｉ／Ｆ）回路９と，ＣＭ検出回路１２と，モニタ画面２１と，音声切替回路１０と，音声処理回路１１と，アンプ２２と，スピーカ２３とを具備している。
前記チューナ１ａ，１ｂは，放送受信アンテナ２０で受信されたテレビジョン放送（地上放送等）の信号（以下，放送信号という）を入力し，前記制御回路８から指示された放送チャンネルの信号を入力信号から抽出（選局）するとともに，その抽出信号の検波によって映像信号及び音声信号を取り出し，その映像信号及び音声信号の各々を前記映像切替回路３及び前記音声切替回路１０各々へ伝送するものである。
なお，前記テレビジョン放送の信号（テレビ放送信号）には，複数チャンネル分の映像信号及びその映像と同期した音声信号が重畳されており，前記チューナ１ａ，１ｂは，前記テレビジョン放送の信号を入力する信号入力手段の一例である。
また，前記外部入力部２は，外部からコンポジット方式の映像信号及び音声信号や，セパレート方式の映像信号及び音声信号（いわゆるＳ端子の信号）等の外部入力映像信号及び外部入力音声信号を入力し，それらを前記映像切替回路３及び前記音声切替回路１０各々へ伝送するインターフェースである。
前記映像切替回路３は，前記チューナ１ａ，１ｂ各々からの映像信号及び前記外部入力部２からの映像信号を入力し，それらの映像信号のうちの任意の２つの映像信号を前記制御回路８からの指示に従って出力するものである。
【０００９】
前記映像処理回路４ａ，４ｂ各々は，前記映像切替回路３から出力された映像信号各々に対して各種信号処理を行うものである。例えば，映像信号のＡ／Ｄ変換や，Ａ／Ｄ変換後の映像信号から水平及び垂直同期信号の分離，その同期信号に位相同期したクロック信号の生成，Ａ／Ｄ変換後の映像信号からの輝度信号及び色信号の分離，所定の画質改善処理，前記画質改善処理後の映像を縮小する（時間軸を圧縮する）処理，及びその縮小映像信号を前記クロック信号に基づいて水平走査期間の前半（画面左半分）や後半（画面右半分）に配置する位相調整処理等を行い，処理後の映像信号を前記画面合成切替手段５に出力する。
前記画面合成切替回路５は，前記映像処理回路４ａ，４ｂ各々からの映像信号のいずれかを切り替えて前記モニタ画面２１に出力することにより，前記モニタ画面２１に１つの映像画面を表示させるか，２つの映像画面を左右に並べて同時表示（画面合成）させるかを切り替えるものである。
例えば，一方の前記映像処理回路４ａから水平走査期間の前半に位相調整された前記縮小映像信号が入力され，他方の前記映像処理回路４ｂから水平走査期間の後半に位相調整された前記縮小映像信号が入力されている場合，それらを前記映像処理回路４ａ，４ｂから得られる前記クロック信号に基づいて順次切り替え出力することにより，前記モニタ画面２１の左半分と右半分との各々に，前記映像切替回路３により出力される２つの映像信号を並べて同時表示させる。
また，前記映像処理回路４ａ，４ｂ各々から前記縮小処理を行わない映像信号が入力されている場合，それらの一方を出力することにより，前記モニタ画面２１のほぼ全体のエリアに，前記映像切替回路３により出力される２つの映像信号のうちの一方のみを表示させる。
さらに，前記画面合成切替回路５は，前記制御回路８から入力される挿入情報を，出力する映像信号にスーパーインポーズする機能も備えている。
【００１０】
前記モニタ画面２１は，例えば，いわゆるワイド画面を形成する液晶パネル及びその周辺機器等からなる表示手段であり，前記画面合成切替回路５から出力される映像信号を表示するものである。なお，前記モニタ画面２１が，１つの映像画面の表示又は複数の映像画面の同時表示を切り替え可能なマルチ画面表示手段の一例である。
前記信号検出回路６は，前記外部入力部２に映像信号が入力されたというイベント（以下，外部入力イベントという）を検出するものである（イベント検出手段の一例）。
例えば，前記外部入力部２を構成する入力端子にコネクタが接続されたか否かを検出するスイッチを設け，そのスイッチの検出状態（ＯＮ／ＯＦＦ）に基づいて映像信号が入力されたか否かを検出する回路や，或いは前記外部入力部２から前記信号映像切替回路３までの信号経路上において，映像信号の同期信号の有無を検出することによって映像信号が入力されたか否かを検出する回路等により構成される。
前記計時回路７は，クロック発振器を備え，現在時刻を計時する回路である。
前記制御回路８は，演算手段であるＭＰＵ８ａ，そのＭＰＵ８ａによって実行される制御プログラムが予め格納される記憶手段であるＲＯＭ８ｂ（ＥＰＲＯＭ），前記ＭＰＵ８ｂが実行する処理によって書き込まれる設定情報を記憶するＥＥＰＲＯＭ８ｃ等を備え，当該表示装置Ｘ全体を制御するものである。
前記リモコンインターフェース回路９は，当該表示装置Ｘの操作用のリモコン９ａ（リモート操作器）から，赤外線伝送等の無線伝送によって前記リモコン９ａに対する操作入力情報を取得し，その操作入力情報を前記制御回路８に出力するものである。
例えば，チャンネル選択が行われる場合，前記リモコン９ａのチャンネル選択キーに対する操作入力の情報が，前記リモコンインターフェース回路９を通じて前記制御回路８に入力され，その操作入力情報に従って，前記制御回路８により，一方の前記チューナ１ａ（ＴＵＮＥＲ＿Ａ）に対して選局するチャンネルが指定されるとともに，そのチャンネルの映像が前記モニタ画面２１に表示されるように前記映像処理回路４ａ及び前記画面合成切替回路５が制御される。
同様に，音量調節が行われる場合，前記リモコン９ａの音量ボリューム調節キー（音量のアップキーとダウンキー）に対する操作入力情報に従って，前記制御回路８から前記アンプ２２に対して出力音量の調節指令が出力され，その指令に従って前記アンプ２２により前記スピーカ２３に対する出力音量が調節される。
なお，前記リモコン９ａが，テレビジョン放送の信号（テレビ放送信号）における複数チャンネルの中から，前記モニタ画面２１（マルチ画面表示手段の一例）に表示させる一のチャンネル（以下，特定チャンネルという）を選択するチャンネル選択手段の一例である。
また，前記チューナ１ａ，１ｂが，前記テレビ放送信号から前記特定チャンネルを含む複数チャンネル分の映像信号と音声信号とを抽出するチャンネル抽出手段の一例である。
【００１１】
前記ＣＭ検出回路１２は，前記特定チャンネルの映像画面を前記モニタ画面２１に表示中に，前記特定チャンネルがコマーシャル放送中であることをイベント（以下，ＣＭ中イベントという）として検出するものである（イベント検出手段の一例）。
ここで，コマーシャル放送であるか否かの判別は，例えば，前記特定チャンネルの放送信号に重畳されている音声信号が音声多重信号であるか否かにより判別すること（音声多重信号であるときにＣＭ放送であると判別する）や，前記特定チャンネルの番組が映画の放送番組である場合に，映像信号がいわゆるレターボックスタイプの映像信号（映像画面の上下に帯状の黒い部分がある映像信号）であるか否かにより判別すること（レターボックスタイプであれば映画の映像（ＣＭでない）と判別する）等が考えられる。この場合，映画の放送番組であるか否かは，放送信号に重畳されるＥＰＧ（電子番組ガイド）により自動判別することや，利用者の操作入力に従って設定すること等が考えられる。
本実施形態では，前記特定チャンネルの映像信号が映画の放送番組である場合には，その映像がレターボックスタイプの映像であるか否かによってＣＭ放送であるか否かを判別し，その他の場合には，前記特定チャンネルの音声信号が音声多重信号であるか否かによってＣＭ放送であるか否かを判別する。
【００１２】
前記音声切替回路１０は，前記チューナ１ａ，１ｂ各々からの音声信号及び前記外部入力部２からの音声信号を入力し，それらの音声信号のうちの任意の２つの音声信号を，前記制御回路８からの指示に従って各々前記音声処理回路１１と前記ＣＭ検出回路１２とに出力するものである。本実施形態では，前記特定チャンネルの音声信号が前記ＣＭ検出回路１２に出力され，前記モニタ画面２１のほぼ全面のエリア又は左半分のエリアに表示される映像画面に対応する音声信号が前記音声処理回路１１に出力されるよう前記音声切替回路１０が制御される。
前記音声処理回路１１は，前記制御回路８からの指示に従って，前記音声切替回路１０から出力された音声信号に対して各種信号処理を行うものである。例えば，前記スピーカ２３の特性に合わせたイコライズ処理や，サラウンド処理等を行う。
前記アンプ２２は，前記音声処理回路１１による処理後の音声信号を，前記制御回路８からの指示に従って増幅或いは減衰させる処理を行い，前記アンプ２３に出力するものである。
なお，表示装置Ｘのうち，前記モニタ画面２１，前記音声処理回路１１，前記アンプ２２及び前記スピーカ２３を除く残りの構成が，前記モニタ画面２１（マルチ画面表示手段）に映像画面を表示させるマルチ画面制御装置として機能する部分である。
【００１３】
以下，前記制御回路８の機能について説明する。
前記制御回路８は，前記リモコン９ａ及び前記リモコンインターフェース回路９を通じて入力される操作入力情報（チャンネル選択キーの操作入力や，音声ボリュームのアップキー若しくはダウンキーの操作入力に対応する情報等）に従って，前記チューナ１ａ，１ｂに対して選局するチャンネルを指定したり，前記アンプ２２に対して出力音量の調節指令を出力したりする等，通常のテレビジョン受像機が備える機能を実現するための制御機能を有する。
さらに，前記制御回路８は，前記映像処理回路４ａ，４ｂ各々に対し，映像信号の縮小を行うか否か，及び縮小を行う場合に水平走査期間の前半と後半のいずに配置（位相調整）するか等についての制御信号を出力し，前記画面合成切替回路５に対し，前記映像処理回路４ａ，４ｂ各々からの映像信号のいずれか一方を前記モニタ画面２１に表示させるか，又はそれらを順次切替出力して前記モニタ画面２１にマルチ画面（２画面）表示させるかの制御信号を出力する。
また，前記チューナ１ａ，１ｂ各々に対しては，いずれの放送チャンネルを抽出（選局）させるかの制御信号を出力し，前記映像切替回路３に対しては，前記チューナ１ａ，１ｂ及び前記外部入力部２の各々から入力される映像信号の中からいずれの２つの映像信号を選択して前記映像処理回路４ａ，４ｂ各々に出力させるかの切替信号を出力する。
さらに，前記制御回路８は，いわゆるオンタイマー機能を実現する。即ち，前記リモコン９ａ及び前記リモコンインターフェース回路９を通じて入力される操作入力に従って，予約時刻とその予約時刻に前記モニタ画面２１に表示させる映像信号の種類（放送チャンネルのいずれか又は外部入力）である設定チャンネルとを前記ＥＥＰＲＯＭ８ｃに記憶させる処理と，前記計時回路７により計時される現在時刻を監視し，現在時刻が前記予約時刻となった際に，前記設定チャンネルに対応する映像信号を前記モニタ画面２１に表示させる処理とを実行する。
ここで，前記制御回路８及び前記計時回路７が，現在時刻が前記オンタイマー機能における前記予約時刻になったというイベント（以下，オンタイマーイベントという）を検出するイベント検出手段の一例である。
【００１４】
また，前記制御回路８は，前記モニタ画面２１に映像画面を表示中に前記イベントの発生（前記外部入イベント，前記オンタイマーイベント，前記ＣＭ中イベントのいずれか）が検出された場合に，前記モニタ画面２１（マルチ画面表示手段）にどのような映像画面表示をさせるかについての表示状態設定情報を予め設定する表示状態設定機能を実現する。
さらに，前記制御回路８は，前記モニタ画面２１に前記特定チャンネルの映像画面を表示中に，前記信号検出回路６による前記外部入力イベントの検出，前記計時回路７及び前記制御回路８による前記オンタイマーイベントの検出，又は前記ＣＭ検出回路１２による前記ＣＭ中イベントの検出のいずれかがなされた場合に，前記表示状態設定情報に従って１又は複数の映像画面を前記モニタ画面２１（マルチ画面表示手段）に表示させる（イベント発生時画面制御手段の一例）。
【００１５】
以下，図２に示すフローチャートを用いて，前記制御回路８が所定の制御プログラムを実行することにより実現されるイベント発生時の映像表示状態設定処理の手順の一例について説明する。なお，以下に示すＳ１，Ｓ２，…は，処理手順（ステップ）の識別記号を表すものとする。図２に示す処理は，前記リモコン９ａから所定のイベント処理設定モードへの移行操作がなされたことが，前記リモコンインターフェース回路９を通じて前記制御回路８により検出された場合に開始される。
前記イベント処理設定モードへの移行操作があったことが検出されると，前記制御回路８により，所定のイベント選択メニューの映像画面が，前記画面合成切替回路５を通じて前記モニタ画面２１に表示され，前記リモコン９ａからの操作入力情報に従ってイベントを選択する処理がなされる（Ｓ１）とともに，いずれのイベントが選択されたかが判別される（Ｓ２〜Ｓ４）。
ここで，選択されたイベントが，前記外部入力イベントである場合は，そのまま後述するステップＳ７の処理へ移行される。
また，選択されたイベントが，前記オンタイマーイベントである場合は，前記制御回路８により，前記オンタイマー機能における起動チャンネル（予約時刻に起動（表示）する放送チャンネル）の選択処理及びその起動を行う前記予約時刻の登録処理が実行（Ｓ５）された後，ステップＳ７の処理へ移行される。
前記起動チャンネルの選択処理及び前記予約時刻の登録処理（Ｓ５）では，前記制御回路８により，所定のチャンネル選択メニュー及び前記予約時刻の入力画面に関する映像画面が，前記画面合成切替回路５を通じて前記モニタ画面２１に表示され，前記リモコン９ａからの操作入力情報に従って，前記起動チャンネルを選択するとともに，前記予約時刻を入力する処理がなされる。
また，選択されたイベントが，前記ＣＭ中イベントである場合は，前記制御回路８により，前記特定チャンネル（鑑賞中のチャンネル）に対する裏番組チャンネルの選択処理が実行（Ｓ６）された後，ステップＳ７の処理へ移行される。この裏番組チャンネルは，前記特定チャンネルがコマーシャル放送中である場合に，前記特定チャンネルの映像画面と同時に又は前記特定チャンネルの映像画面と切り替えて，前記モニタ画面２１（マルチ画面表示手段の一例）に表示させるチャンネルであり，前記制御回路８によるステップＳ６の処理により，その裏番組チャンネルを予め設定できる（表示画面設定手段の一例）。
前記裏番組のチャンネル選択処理（Ｓ６）では，前記制御回路８により，所定のチャンネル選択メニューに関する映像画面が，前記画面合成切替回路５を通じて前記モニタ画面２１に表示され，前記リモコン９ａからの操作入力情報に従って，前記裏番組のチャンネルを選択する処理がなされる。
【００１６】
そして，ステップＳ７では，ステップＳ１で選択されたイベントの発生が検出された場合に，そのイベントに対応する映像画面（外部入力映像の画面，前記起動チャンネルの映像画面又は前記裏番組のチャンネルの映像画面）を前記モニタ画面２１にどのように表示させるか（表示状態）を選択する処理（以下，表示状態選択処理という）が前記制御回路８により実行され，さらに，ステップＳ８において，ステップＳ７で選択された情報が表示状態設定情報として前記ＥＥＰＲＯＭ８ｃに記憶された後，当該映像表示状態設定処理が終了する。
以上の処理が予め実行されることにより，前記モニタ画面２１（マルチ画面表示手段）に前記特定チャンネルの映像画面を表示中に，前記信号検出回路や前記ＣＭ検出回路１２等（イベント検出手段の一例）によってイベントが検出された場合に，前記制御回路８により，前記ＥＥＰＲＯＭ８ｃに記憶された前記表示状態設定情報に従って，１又は複数の映像画面が前記モニタ画面２１に表示されるよう制御される（イベント発生時画面制御手段の一例）。
【００１７】
次に，図３に示す表示画面の模式図を用いて，前記表示状態設定情報に基づくイベント発生時の前記モニタ画面２１への表示画面の例について説明する。なお，図３（ａ）は前記特定チャンネルの映像画面を表示している状態，図３（ｂ）は前記特定チャンネルの映像画面とイベントに対応した映像画面とを２画面表示（マルチ画面表示）している状態，図３（ｃ）は前記イベントに対応する映像画面に切り替えられた状態，図３（ｄ）は前記特定チャンネルの映像画面に後述する問合せメニューを併せて表示させた状態を各々表す。
例えば，ステップＳ７において，前記表示状態設定情報として２画面表示パターン，切替表示パターン及び問合せパターンの３つのパターンの選択肢からイベント発生時の表示状態を選択（設定）できるようにし，前記特定チャンネルの映像画面を前記モニタ画面１０に表示中にイベントが検出された場合，前記制御回路８により，選択（設定）されたパターンに応じて以下のような表示がなされるよう制御することが考えられる。
【００１８】
前記２画面表示パターンが選択された場合，図３（ａ）に示す前記特定チャンネルの映像画面ｇ１の表示状態から，図３（ｂ）に示すように，前記特定チャンネルの映像画面ｇ１（元々表示中の映像画面）と前記イベントに対応する映像画面ｇ２との両方が前記モニタ画面２１に２画面表示（同時表示）される。
ここで，前記制御回路８により，前記２画面表示された前記モニタ画面２１の画面上に，前記特定チャンネルの映像画面ｇ１と前記イベントに対応する映像画面ｇ２とのいずれか一方又は両方の表示を残すかについての選択メニューｇ３が同時表示されるようにすれば，利用者によるその後の表示切り替えの操作性が高まり好適である。なお，このとき，前記制御回路８により，前記スピーカ２３に対して前記特定チャンネルの音声信号が出力されるよう前記音声切替回路１０が制御される。
そして，前記選択メニューｇ３に対する選択入力がなされた場合，その選択入力に従った映像画面が前記モニタ画面２１に表示される。図３（ｂ）に示す例では，前記制御回路８により，前記リモコン９ａに設けられた矢印キー等が操作されるごとに選択カーソルｇ３１が選択肢各々に順次移動され，前記リモコン９ａに設けられた決定キー等が操作されることにより，その時点で選択カーソルｇ３１が設定されている選択肢が選択されたものとして処理される。
また，前記モニタ画面２１には，図３（ｂ）に示すように，前記制御回路８により，前記特定チャンネルの映像画面及び前記イベントに対応する映像画面が，その各々の識別情報（図中の「Ａ」，「Ｂ」）が付加されて表示されるとともに，その識別情報を用いた前記選択メニューｇ３が表示される。これにより，前記選択メニューｇ３における選択肢と各画面との対応関係を一見して把握できるのでわかりやすい。
ここで，前記識別情報を，「Ａ」と「Ｂ」等の単なる符号の他，「元の画面」と「新規画面」や，各画面に表示される映像信号の入力元（「ライン入力１」や「Ｌ１」，「ＶＨＳ放送ｃｈ２」や「Ｖ２」，…）等の各映像信号の意味内容を表す情報等とすることも考えられる。
【００１９】
また，前記切替表示パターンが選択された場合，前記特定チャンネルの映像画面ｇ１（図３（ａ））から，前記イベントに対応する映像画面ｇ１（図３（ｃ））に自動的に切り替えられる。
一方，前記問合せパターンが選択された場合，図３（ｄ）に示すように，前記特定チャンネルの映像画面ｇ１を表示させた状態で，前記イベントに対応する映像画面への切り替えを行うか否かの問合せメッセージｇ４が同時表示（スーパーインポーズ）される。
そして，その問合せメッセージｇ４に対する操作入力が行われた場合，その操作入力に応じた映像画面（前記特定チャンネルの映像画面ｇ１又は前記イベントに対応した映像画面ｇ２のいずれか一方）が前記モニタ画面２１に表示される。図３（ｄ）に示す例では，前記問合せメッセージｇ４に対し，前記リモコン９ａに設けられた決定キー等が操作された場合に画面切り替えを行うことを指示されたものとし，キャンセルキー等が操作された場合に画面切り替えを行わない（前記特定チャンネルの映像画面ｇ１の表示を継続する）ことを指示されたものとして処理される。
【００２０】
以上示した前記制御回路８（表示状態設定手段の一例）によるステップＳ１〜Ｓ８の処理により，イベントが検出された場合に前記モニタ画面２１（マルチ画面表示手段の一例）にどのような映像画面表示をさせるかについての前記表示状態設定情報を予め設定する（利用者の好みに合わせてカスタマイズする）ことが可能であるので，多様なユーザのニーズ各々にマッチした利便性の高い表示装置を構成できる。
なお，前記制御回路８（表示状態設定手段の一例）によるステップＳ７の処理で予め設定される各パターンにおいて，前記切替パターン及び前記問合せパターンが，前記イベントが検出されたときに前記モニタ画面２１に表示中の映像画面と前記イベントに対応する映像画面とのいずれか一方を前記モニタ画面２１に表示させる選択肢の一例であり，前記２画面表示パターンが，両方の映像画面を前記モニタ画面２１に表示させる選択肢の一例である。
【００２１】
前記実施形態では，テレビジョン受像機（表示装置）への適用例について示したが，これに限らず，例えば，前記表示装置Ｘにおける音声出力関係の構成要素１１，２２，２３を除く構成のうち，前記モニタ画面２１をモニタ画面への映像信号出力インターフェースに置き換えた構成（マルチ画面制御装置の一例）を，録画装置（ビデオデッキやＤＶＤ装置等）やＢＳチューナやＣＡＴＶチューナ等のチューナに設けた実施形態等も考えられる。
また，前記実施形態では，１画面表示と左右２画面表示とを切り替えるマルチ画面表示の例について示したが，例えば，１画面表示と，その一部にウィンドウ画面を同時表示させる２画面表示とを切り替えるものや，複数のイベントに対応する複数の映像画面（第２の映像画面の一例）を同時表示させる３画面表示以上のマルチ画面表示を行うもの等も考えられる。
【産業上の利用可能性】
【００２２】
本発明は，マルチ画面制御機能を備えた表示装置や録画装置，チューナ等に利用可能である。
【図面の簡単な説明】
【００２３】
【図１】本発明の実施形態に係る表示装置Ｘの概略構成を表すブロック図。
【図２】表示装置Ｘにおけるイベント発生時の映像表示状態設定処理の手順を表すフローチャート。
【図３】表示装置Ｘにおける画面表示を模式的に表した図。
【符号の説明】
【００２４】
Ｘ…表示装置
１ａ，１ｂ…チューナ
２…外部入力部
３…映像切替回路
４ａ，４ｂ…映像処理回路
５…画面合成切替回路
６…信号検出回路
７…計時回路
８…制御回路
９…リモコンインターフェース回路
９ａ…リモコン
１０…音声切替回路
１１…音声処理回路
１２…ＣＭ検出回路
２１…モニタ画面
ｇ１…特定チャンネルの映像画面（元々表示中の映像画面）
ｇ２…イベントに対応する映像画面
ｇ３…選択メニュー
ｇ４…問合せメッセージ
Ｓ１，Ｓ２，，，…ステップ（処理手順）
【図１】
2006081106.tif 000003
【図２】
2006081106.tif 000004
【図３】
2006081106.tif 000005